(57)【要約】      （修正有）【課題】単一の緩衝体によってしかも複数の緩衝体を組合わせたと同じ緩衝効果を発現し、折曲げ部分に対して所定の耐圧強度を与えるような複雑な形状に対応できる、段ボールから成る包装用緩衝体を提供する。【解決手段】連結片を有する切断線と半切線とによって交互に連結された板状部１１〜１６をジグザグに折曲げて重合わせるとともに、板状部１１、１６の長さ方向の両端の近傍に設けられた開口３５を中心としてこの緩衝体をほぼコ字状に折曲げることによって、他の板状体１２〜１５の開口３５と対応する位置の連結部５３が変形し、さらに切込み３７の底縁が折曲げられた反対側の部分の切断線３８を交差した状態で受けるようする。【選択図】図８
2005112435.tif 000002
【特許請求の範囲】
【請求項１】
段ボールを折曲げて組立てられる包装用緩衝体において、
前記段ボールの段目の方向と交差する方向に延びる切断線と一方のライナのみが連結される半切線とを互いにほぼ平行であって前記段目の方向に交互に形成し、
前記切断線を連結片によって部分的に連結し、
前記切断線と半切線とによって区画される板状部の内の前記段目の方向の両端の板状部の互いに対応する位置にそれぞれ開口を形成し、
前記両端の板状部以外の他の板状部の前記開口と対応する位置に連結部を形成するとともに、前記連結部の幅方向の両側を欠如し、
前記段ボールを前記切断線と前記半切線のところで交互に逆方向に折畳んで重合わせ、前記開口および前記連結部のところで折曲げるようにしたことを特徴とする包装用緩衝体。
【請求項２】
前記連結部が前記切断線と半切線の長さ方向に延び、前記緩衝体の前記切断線と半切線に対してほぼ直角であって前記板状部の面に対して交差する方向に折曲げられることを特徴とする請求項１に記載の包装用緩衝体。
【請求項３】
前記連結部の幅方向の側端と対応するようにこの緩衝体の側縁部に切込みが形成され、しかも該切込みの端部が前記開口および前記連結部の中間位置と対応し、しかも該切込みの底部と連続する切断線を前記連結部の側縁に沿って前記切込みとは反対方向に形成し、この緩衝体を折曲げると前記切断線の側端が前記切込みの底部と接することを特徴とする請求項２に記載の包装用緩衝体。
【請求項４】
この緩衝体の長さ方向の両端から所定の距離だけ離れた位置にそれぞれ前記開口と前記連結部とが形成され、この緩衝体の長さ方向の両端がそれぞれ折曲げられてほぼコ字状をなすことを特徴とする請求項２に記載の包装用緩衝体。
【発明の詳細な説明】
【技術分野】
【０００１】
本発明は包装用緩衝体に係り、とくに段ボールを折曲げて組立てられる包装用緩衝体に関する。
【背景技術】
【０００２】
各種の物品を梱包して物流に供する際に、物流段階において外部からの力によって物品が衝撃を受けて破損する可能性がある。そこで従来より各種の物品を物流に供する際には、これらの物品を包装箱に収納している。そして包装箱と物品との間の隙間の部分に発泡スチロール樹脂の緩衝体を配し、外部からの衝撃を上記緩衝体によって吸収し、これによって物品を衝撃から保護するようにしている。
【０００３】
従来のこのような発泡スチロール樹脂を用いた緩衝体は、使用後に廃棄した場合に、自然崩壊性を有していないために、そのままの状態で長期間にわたって残存し、廃棄物公害の原因となる。焼却処分を行なうと、発泡スチロール樹脂の緩衝体が高熱を発して炉を損傷したり、あるいはまた黒煙を発して大気汚染の原因になる。このような環境上の問題から、発泡スチロール樹脂の緩衝体の使用が制限される傾向にある。
【０００４】
そこで自然崩壊性を有する段ボールを用いて緩衝体を組立てることが提案されている。段ボールはセルロースを原料とするものであるために、廃棄してもやがてバクテリヤによって分解されて水と炭酸ガスとになり、環境破壊の原因にはならない。また水で分解して再生することができ、リサイクル可能であることから、資源の有効利用につながる。
【０００５】
ところが段ボールから成る緩衝体は、任意の形状に形成することが困難である。すなわち発泡スチロール樹脂から成る緩衝体は、その発泡成形の際に用いる金型のキャビティの形状によって任意の緩衝体を得ることが可能になる。ところが段ボールから成る緩衝体は、平面状をなす段ボールを折畳んで組立てるために、複雑な形状に形成することができない。従って複数の緩衝体を段ボールによって別々に製作するとともに、これらを互いに組合わせることによって複雑な形態の構造に対応している。
【０００６】
従ってこのような複数の段ボールから成る緩衝体の組立て体は、部品点数が増加するとともに、組立ての工数を要し、これによって緩衝体のコストが増大する欠点がある。
【発明の開示】
【発明が解決しようとする課題】
【０００７】
本発明はこのような問題点に鑑みてなされたものであって、段ボールから成る緩衝体を一体のままで折曲げることによって複雑な形状に対応できるようにした包装用緩衝体を提供することを課題とする。
【０００８】
本願発明の別の課題は、部品点数が増加しない包装用緩衝体を提供することである。
【０００９】
本願発明のさらに別の課題は、組立て工数を低減するようにした包装用緩衝体を提供することである。
【００１０】
本願発明のさらに別の課題は、コストが増大する問題を解消するようにした包装用緩衝体を提供することである。
【００１１】
本願発明の上記の課題および他の課題は、以下に述べる本願発明の技術思想および実施の形態によって明らかにされる。
【課題を解決するための手段】
【００１２】
本願の主要な発明は、
段ボールを折曲げて組立てられる包装用緩衝体において、
前記段ボールの段目の方向と交差する方向に延びる切断線と一方のライナのみが連結される半切線とを互いにほぼ平行であって前記段目の方向に交互に形成し、
前記切断線を連結片によって部分的に連結し、
前記切断線と半切線とによって区画される板状部の内の前記段目の方向の両端の板状部の互いに対応する位置にそれぞれ開口を形成し、
前記両端の板状部以外の他の板状部の前記開口と対応する位置に連結部を形成するとともに、前記連結部の幅方向の両側を欠如し、
前記段ボールを前記切断線と前記半切線のところで交互に逆方向に折畳んで重合わせ、前記開口および前記連結部のところで折曲げるようにしたことを特徴とする包装用緩衝体に関するものである。
【００１３】
ここで前記連結部が前記切断線と半切線の長さ方向に延び、前記緩衝体の前記切断線と半切線に対してほぼ直角であって前記板状部の面に対して交差する方向に折曲げられることが好ましい。また前記連結部の幅方向の側端と対応するようにこの緩衝体の側縁部に切込みが形成され、しかも該切込みの端部が前記開口および前記連結部の中間位置と対応し、しかも該切込みの底部と連続する切断線を前記連結部の側縁に沿って前記切込みとは反対方向に形成し、この緩衝体を折曲げると前記切断線の側端が前記切込みの底部と接することが好ましい。またこの緩衝体の長さ方向の両端から所定の距離だけ離れた位置にそれぞれ前記開口と前記連結部とが形成され、この緩衝体の長さ方向の両端がそれぞれ折曲げられてほぼコ字状をなすことが好ましい。
【００１４】
本願の上記の発明の好ましい態様は、段ボールを切断線と半切線のところで交互に逆方向に折畳んで重合わせ、しかも重合わされた構造体の長さ方向の両端から所定の位置であって外表面側の板状部に開口を形成するとともに、中間の板状部には連結部を形成し、これによってこの緩衝体の長さ方向の両端をそれぞれほぼ直角に折曲げてコ字状にしたものである。
【００１５】
従ってこのような構造の緩衝体は、単一の緩衝体でありながらしかも物品の３辺を保護することができ、従来は３つのピースから成る緩衝体を１個の緩衝体によって構成することができるようになる。
【００１６】
とくに上記折曲げ位置の開口および連結部の中心と対応する位置を一側端とする切込みを形成するとともに、この切込みの底部と連続する切断線を連結部の側縁に沿って切込みとは反対側の方向に形成しておくと、上記開口と連結部とによって直角に折曲げたときに上記切断線が切込みの底部に接するようになり、これによって折曲げ部分の耐圧強度が増加するとともに、折曲げ部分の形状を安定に保持できるようになる。
【発明の効果】
【００１７】
本願の主要な発明は、段ボールを折曲げて組立てられる包装用緩衝体において、段ボールの段目の方向と交差する方向に延びる切断線と一方のライナのみが連結される半切線とを互いにほぼ平行であって段目の方向に交互に形成し、切断線を連結片によって部分的に連結し、切断線と半切線とによって区画される板状部の内の段目の方向の両端の板状部の互いに対応する位置にそれぞれ開口を形成し、両端の板状部以外の他の板状部の開口と対応する位置に連結部を形成するとともに、連結部の幅方向の両側を欠如し、段ボールを切断線と半切線のところで交互に逆方向に折畳んで重合わせ、開口および連結部のところで折曲げるようにしたものである。
【００１８】
従ってこのような包装用緩衝体によれば、上記開口のほぼ中間部を中心としてこの緩衝体を折曲げることが可能になり、このときに両端の板状部の開口に対してその外側に位置する連結部が上記開口内に入込んで折曲げ動作を可能にする。従って単一の緩衝体でありながらしかも物品の複数の面を受けることが可能になり、これによって複数の緩衝体に代えて単一の緩衝体で同一の緩衝効果を発現することができる。従って包装用緩衝体の数を低減できるようになる。
【発明を実施するための最良の形態】
【００１９】
以下本願発明を図示の実施の形態によって説明する。図１は本実施の形態の包装用緩衝体を組立てるための段ボール１０を展開して示している。段ボール１０は６枚の横長の板状部１１、１２、１３、１４、１５、１６を備え、これらが互いに交互に形成された切断線１７と半切線１８とを介して順次連結されている。すなわちこれらの切断線１７と半切線１８とによって囲まれる領域が板状部１１〜１６を構成している。
【００２０】
切断線１７は段ボール１０の厚さ方向に完全に切断したものであって、その長さ方向の複数の位置にそれぞれ連結片２２が形成されている。連結片２２は図２に示すように互いに左右対称な一対の切込み２３と、これらの切込み２３を連結する一対の折曲げ線２４とを備えるとともに、連結片２２の延長位置にはそれぞれ切込み２５が形成されている。
【００２１】
これに対して切断線１７と交互に形成される半切線１８はとくに図３に示すように、この段ボール１０の中芯２９に対してその両側のライナ３０の内の一方のライナ３０が連結されるとともに、中芯２９と他方のライナ３０とが切断された構造になっている。
【００２２】
次に上記段ボール１０の板状部１１〜１６の構造について図１により説明する。板状部１１、１６にはその長さ方向の両側の位置にそれぞれほぼ正方形の開口３５が形成されるとともに、これらの開口３５の上下の部分を横方向に切込んだ切込み線３６が形成されている。また板状部１１、１６には半切線１８に一端が開放された切込み３７が形成されている。そしてこの切込み３７の一方の側縁が上記開口３５の中間位置に対応している。また切込み３７の底縁であって開口３５側の部分はこの切込み３７とは反対側の部分に延長された切断線３８を備えている。そして上記開口３５と切込み３７および切断線３８の中間の領域が連結部４３になっており、この連結部４３には折曲げ線４４が形成されている。
【００２３】
また板状部１１、１６にはその長さ方向の中間位置の側縁に上記半切線１８に接するように一対の斜めの切断線３９が形成されるとともに、これらの斜めの切断線３９の終端が折曲げ線４０によって連結されている。そして折曲げ線４０の中間位置には切込み４１が形成されている。また板状部１１、１６には一方の切込み３７に対して斜めの位置に円形の開口４２が形成されている。
【００２４】
次に中間の板状部１２〜１５の構造について説明する。これらの板状部１２〜１５は半切線１８に一端が開放されるように切込み４８が形成されている。切込み４８は板状部１１、１６の切込み３７とほぼ整合する位置に形成されている。また上記切込み４８の底部と一部が連続するように矩形の開口４９が形成されている。そして開口４９の上部および底部には切断線５０が延長するように形成されている。また上記開口５０の側方の位置には切断線１７に臨むように矩形の切込み５１が形成されている。そしてこの切込み５１の底部に連続するように切断線５２が形成されている。そして上記開口４９、切込み５１間が連結部５３になっており、この連結部５３はその中間位置に折曲げ線５４が形成されている。連結部５３は両側の板状部１１、１６の開口３５とほぼ対応するようになっており、折曲げられたときに上記開口３５内に侵入するようになっている。
【００２５】
また板状部１２、１５には一方の開口４９と近接するように比較的大きな切込み５５が半切線１８に接するように形成されている。これに対して別の板状部１３、１４には切込み５５よりも小さな寸法の切込み５６が半切線１８に接するように形成されている。なお板状部１３の切込み５６と板状部１４の切込み５６とは互いに連続する開口を形成している。また板状部１２〜１５の長さ方向の中間位置であって一方の側縁に臨むように切込み５７が形成されている。これらの切込み５７は両側の板状部１１、１６の斜めの切断線３９と折曲げ線４０とによって囲まれる領域とほぼ対応している。
【００２６】
また板状部１２〜１５には上記切込み４８の斜め側方に円形の開口６０が形成されるとともに、開口４９の斜め側方には一回り小さな矩形の開口６１が形成されている。また板状部１２〜１５の図１において右側の端部の近傍には比較的大きな円形の開口６２が形成されている。さらに板状部１２〜１５には互いに対応するようにそれぞれ一対の長円形の開口６３が形成されている。
【００２７】
次に以上のような構成に係る段ボール１０を折曲げて緩衝体を組立てる動作を図４〜図６によって説明する。この段ボール１０の板状部１１〜１６の所定の位置に予め澱粉糊等の接着手段を塗布しておく。このような状態において段ボール１０を図４に示すように切断線１７と半切線１８のところで交互に逆方向に折畳む。そして板状部１１〜１６をその順番に互いに積重ねることによって、図５および図６に示すように直方体状の細長い緩衝体が組立てられる。板状部１１〜１６はその側縁が交互に切断線１７上の連結片２２および半切線１８によって隣接する板状部と連結された状態で組立てられる。しかも板状部１１〜１６はその所定の位置に塗布された澱粉糊によって積重ねた状態を保持するように接着される。
【００２８】
図５はとくに切断線１７が露出する側面を示したものであって、この側面においては板状部１１〜１６が連結片２２によって互いに連結されている。これに対して図６は半切線１８によって連結される側面を示しており、ここでは板状部１１〜１６が半切線１８によって連結されている。
【００２９】
次に以上のような構成になるこの包装用緩衝体をコ字状に折曲げる動作を図７および図８によって説明する。コ字状に折曲げる動作は、両側の板状部１１、１６の長さ方向の両端から所定の位置にそれぞれ形成されている開口３５の中心部を中心としてこの緩衝体を折曲げることによって達成される。上記開口３５の位置においては、内側の板状体１２〜１５にはそれぞれ連結部５３が形成され、これらの連結部５３によって図７および図８に示すように柔軟に折曲げられるようになっている。そしてとくに外側の板状部１６と接する次の板状部１５の連結部５３は板状部１６の開口３５からその内側に侵入するように変形する。これに対して折曲げられたときに内側に位置する板状部１２、１３側の連結部５３は折曲げ線５４によってジクザグに変形する。従ってこれにより、この緩衝体を図７および図８に示すようにほぼコ字状に折曲げることが可能になる。
【００３０】
しかもこのように折曲げる際に、とくに図７および図８に示すように、折曲げ用の開口３５の中心とほぼ対応するように側端が一致する切込み３７、４８の底部に対して、切断線３８がその上側において直角に交差するようになり、しかもこのときに中間の板状部１２〜１５の上記開口４９によって両側の板状部１１、１６の連結部４３の上下の部分が欠如され、このために連結部４３が直角に折曲げるのを補助することになる。従ってこのことから、とくに直角に折曲げられた開口３５の両側の部分が切込み３７の底部において上下に重合うことになる。従ってコ字状に折曲げられるとともに、そのコーナにおいても十分な耐圧強度と緩衝効果とを有することになる。
【００３１】
このようにコ字状に折曲げられた緩衝体６５は図９に示すように、梱包される物品６６の互いに対向する２辺とその両側の部分とを受けた状態でこの物品６６を緩衝することになる。物品６６は段ボール箱から成る外装箱６７内に収納されるが、このときに物品６６と外装箱６７との間に緩衝体６５が介在し、これによって外部からの衝撃をこの緩衝体６５が吸収して物品６６の保護が図られることになる。
【産業上の利用可能性】
【００３２】
本願発明は、物流に供される物品を梱包する際に外部からの衝撃を吸収するための包装用緩衝体として広く利用可能である。
【図面の簡単な説明】
【００３３】
【図１】包装用緩衝体を組立てる段ボールの展開平面図である。
【００３４】
【図２】切断線上の連結片の構造を示す平面図である。
【００３５】
【図３】半切線の構造を示す要部拡大断面図である。
【００３６】
【図４】段ボールの折曲げ動作を示す外観斜視図である。
【００３７】
【図５】段ボールを折曲げて組立てられた構造体の斜視図である。
【００３８】
【図６】同逆の方向から見た斜視図である。
【００３９】
【図７】両端をほぼ直角に折曲げた緩衝体の斜視図である。
【００４０】
【図８】同緩衝体を背面側から見たときの斜視図である。
【００４１】
【図９】この緩衝体によって物品を梱包している状態を示す平面図である。
【符号の説明】
【００４２】
１０  段ボール
１１〜１６  板状体
１７  切断線
１８  半切線
２２  連結片
２３  切込み
２４  折曲げ線
２５  切込み
２９  中芯
３０  ライナ
３５  開口
３６  切込み線
３７  切込み
３８  切断線
３９  斜めの切断線
４０  折曲げ線
４１  切込み
４２  円形の開口
４３  連結部
４４  折曲げ線
４８  切込み
４９  開口
５０  切断線
５１  切込み
５２  切断線
５３  連結部
５４  折曲げ線
５５〜５７  切込み
６０〜６２  円形の開口
６３  長円形の開口
６５  緩衝体
６６  物品
６７  外装箱（段ボール箱）
【図１】
2005112435.tif 000003
【図２】
2005112435.tif 000004
【図３】
2005112435.tif 000005
【図４】
2005112435.tif 000006
【図５】
2005112435.tif 000007
【図６】
2005112435.tif 000008
【図７】
2005112435.tif 000009
【図８】
2005112435.tif 000010
【図９】
2005112435.tif 000011